(57)【要約】【課題】少ない数のＬＥＤにより単なる実用的な機能の止まらず、エンターテイメント的な要素として視覚的効果を実現するＬＥＤ制御回路を提供する。【解決手段】音声信号から音圧レベルを検出する音圧検出用デコード回路１３と、ＰＷＭ信号１０のデューティ比を制御するカウンタ値６を出力するカウンタ５と、前記カウンタ値６が前記音圧レベルに応じて追従して変化するように前記カウンタを制御する制御信号８を出力する比較回路７と、前記カウンタ値６に応じたデューティ比のＰＷＭ信号１０を出力するＰＷＭ回路と、前記ＰＷＭ信号１０を入力しＬＥＤを駆動するＬＥＤ駆動回路１９とから構成される。【選択図】        図１
2004205669.tif 000002
【特許請求の範囲】
【請求項１】
音に連動してＬＥＤの点灯を制御するＬＥＤ制御回路において、音声のＰＣＭ信号から検出した音圧レベルに基づいてＬＥＤを駆動するＰＷＭ信号のデューティ比を制御することにより、ＬＥＤの輝度を音圧レベルに連動させることを特徴とするＬＥＤ制御回路。
【請求項２】
音圧レベルの変化に対して序々に勾配をもって輝度が変化するようにＰＷＭ信号のデューティ比を制御することを特徴とする請求項１記載のＬＥＤ制御回路。
【請求項３】
ＰＣＭ信号から周波数帯を限定して検出した音圧レベルに基づいてＬＥＤを駆動するＰＷＭ信号のデューティ比を制御することを特徴とする請求項１記載のＬＥＤ制御回路。
【請求項４】
音に連動してＬＥＤの点灯を制御するＬＥＤ制御回路において、音声信号から音圧レベルを検出する音圧検出回路と、ＰＷＭ信号のデューティ比を制御するカウンタ値を出力するカウンタと、前記カウンタ値が前記音圧レベルに応じて追従して変化するように前記カウンタを制御するカウンタ制御回路と、前記カウンタ値に応じたデューティ比のＰＷＭ信号を出力するＰＷＭ回路と、前記ＰＷＭ信号を入力しＬＥＤを駆動するＬＥＤ駆動回路と、からなることを特徴とするＬＥＤ制御回路。
【請求項５】
前記カウンタは、第１のクロック信号を計数するアップダウンカウンタで構成され、前記カウンタ制御回路は、前記カウンタの前記第１のクロック信号の計数動作を、カウンタ値と音圧レベルとの大小によりアップカウントとダウンカウントの間で切り替える制御信号を出力する比較回路を含むことを特徴とする請求項４記載のＬＥＤ制御回路。
【請求項６】
前記ＰＷＭ回路は、第１のクロック信号より周波数の高い第２のクロック信号を計数するモジュロｎカウンタ（ｎ：整数）と、前記カウンタ値と音圧レベルとを比較してＰＷＭ信号を出力する比較器と、を備えることを特徴とする請求項４又は５記載のＬＥＤ制御回路。
【請求項７】
分周比が制御可能な可変分周回路を備え、前記可変分周回路は、源振クロック信号を分周して前記第１のクロック信号を出力することを特徴とする請求項５又は６記載のＬＥＤ制御回路。
【請求項８】
特定の周波数帯域の通過特性を有するフィルタを備え、前記音圧検出回路は、前記フィルタを介した音声信号から音圧レベルを検出することを特徴とする請求項１ないし７の何れか１つの請求項記載のＬＥＤ制御回路。
【発明の詳細な説明】
【０００１】
【発明が属する技術分野】
本発明は、発光ダイオード（ＬＥＤ）表示の制御回路に関し、特に電子機器から出力される音声の音圧レベルをＬＥＤ表示するＬＥＤ制御回路に関する。
【０００２】
【従来の技術】
従来、携帯電話等の電子機器において、ユーザーインターフェースとしてＬＥＤを実装し電子機器の状態を点滅表示することが広く行われている。また単に電子機器の状態を点滅表示するだけでなく、ＬＥＤの色や点滅の方法を工夫することにより視覚的効果を持たせるように構成したものも知られている。
【０００３】
例えば、音とＬＥＤの照度との連動制御に関して、アンプの出力レベルに連動してＬＥＤの点灯数を増減させ、ユーザーに音圧レベルを表示するレベルメーターとしての使用方法は広く知られている。また、ＬＥＤの点滅等により視覚的効果を持たせる例として、音声入力を増幅率が可変の可変増幅回路を用いて、音声入力の変化にかかわらず常に同一音声出力とし、該音声信号の低帯域成分の大きさの変化量によりＲ（赤）Ｇ（緑）Ｂ（青）の各ＬＥＤ列の輝度を制御するとともに、同信号の中帯域成分の大きさにより発光色を制御し、音楽音と発光光との同期感を向上させる音声光変換装置が知られている（特許文献１参照）。
【０００４】
【特許文献１】
特開2001-326085号公報
【０００５】
【発明が解決しようとする課題】
一般に、軽量、小型化が必須の携帯電話機のような電子機器では、ＬＥＤを多数実装することは実装面積、重量、コスト面で困難である。
【０００６】
また、前記特許文献１記載の音声光変換装置は、ＬＥＤの輝度変化により視覚的効果を得るものであるが、ＬＥＤの輝度変化は音声信号の低域周波数成分の大きさの変化量に応じて変化するものであり、音声信号の音圧レベル（平坦特性等の（FLAT）音圧レベル）をＬＥＤにより輝度表示するという基本機能を有していないのみならず、携帯電話機等の限られた個数のＬＥＤを用いた音圧レベルの表示と視覚効果を得る表示とを兼ね備えた機能を実現できるものでもない。
【０００７】
（目的）
本発明の目的は、電子機器から出力される音声の音圧レベルのＬＥＤ表示に関し、音圧レベルの表示機能に加えて、エンターテイメント的な要素として視覚的効果をも実現するＬＥＤ制御回路を提供することにある。
本発明の目的は、少ない数のＬＥＤによりユーザーに対する豊かな表現力を伴うＬＥＤ表示を可能とし、電子機器の商品価値を高めるＬＥＤ制御回路を提供することにある。
【０００８】
【課題を解決するための手段】
本発明のＬＥＤ制御回路は、音に連動してＬＥＤの点灯を制御するＬＥＤ制御回路において、音声のＰＣＭ信号から検出した音圧レベルに基づいてＬＥＤを駆動するＰＷＭ信号のデューティ比を制御することにより、ＬＥＤの輝度を音圧レベルに連動させることを特徴とし、前記ＰＷＭ信号のデューティ比の制御は、音圧レベルの変化に対して序々に勾配をもって輝度が変化するように制御することを特徴とする。また、ＰＣＭ信号から周波数帯を限定して検出した音圧レベルに基づいてＬＥＤを駆動するＰＷＭ信号のデューティ比を制御することを特徴とする。
【０００９】
本発明のＬＥＤ制御回路は、より具体的には、通話音声や音楽に連動してＬＥＤの輝度を変化させるものであり、音声データのＰＣＭ信号（１２）から音圧レベルを検出する音圧検出用デコード回路（１３）と、その検出レベル信号（１４）に追従して動作するカウンタ（５）と、そのカウンタ値（６）に従ったデューティ比（Ｄｕｔｙ比）のパルス幅変調信号（１０）を出力するＰＷＭ回路（９）で構成される。また、ＬＥＤの輝度変化に勾配を持たせることを特徴とする（図１〜３参照）。
【００１０】
本発明のＬＥＤ制御回路は、音に連動してＬＥＤの点灯を制御するＬＥＤ制御回路において、音声信号から音圧レベルを検出する音圧検出回路（例えば、図１の音圧検出用デコード回路１３）と、ＰＷＭ信号のデューティ比を制御するカウンタ値を出力するカウンタと、前記カウンタ値が前記音圧レベルに応じて追従して変化するように前記カウンタを制御するカウンタ制御回路（例えば、図１の比較回路７、制御信号８の帰還回路等）と、前記カウンタ値に応じたデューティ比のＰＷＭ信号を出力するＰＷＭ回路と、前記ＰＷＭ信号を入力しＬＥＤを駆動するＬＥＤ駆動回路と、からなることを特徴とする。
【００１１】
また、前記カウンタは、第１のクロック信号を計数するアップダウンカウンタで構成され、前記カウンタ制御回路は、前記カウンタの前記第１のクロック信号の計数動作を、カウンタ値と音圧レベルとの大小によりアップカウントとダウンカウントの間で切り替える制御信号を出力する比較回路を含むことを特徴とする。
【００１２】
また、前記ＰＷＭ回路は、第１のクロック信号より周波数の高い第２のクロック信号を計数するモジュロｎカウンタ（ｎ：整数）と、前記カウンタ値と音圧レベルとを比較してＰＷＭ信号を出力する比較器と、を備えることを特徴とする。
【００１３】
更に、外部信号により分周比が制御可能な可変分周回路（例えば、図１の分周回路２）を備え、前記可変分周回路は、源振クロック信号を分周して前記第１のクロック信号を出力することを特徴とし、特定の周波数帯域の通過特性を有するフィルタ（例えば、図２の２１〜２９）を備え、前記音圧検出回路は、前記フィルタを介した音声信号から音圧レベルを検出することを特徴とする。
（作用）
音声データのＰＣＭ信号に含まれる音声信号の平坦特性等に基づいて音圧を検出してＬＥＤの点灯制御を行う。音圧レベルの変化時の輝度の制御は、輝度を決定するカウンタのカウンタ値を音圧レベルに従ったカウンタ値へ所定間隔でアップダウンさせることにより序々に勾配をもって輝度変化を与えるように制御する。ＰＣＭ信号から音圧レベルを検出する際にフィルタを用いて周波数帯を限定した信号から音圧レベルを検出して輝度を制御することも可能である。
【００１４】
【発明の実施の形態】
次に、本発明のＬＥＤ制御回路の第１の実施の形態について説明する。
（構成の説明）
図１は、第１の実施の形態の構成を示すブロック図である。
本実施の形態は、音声に関するＰＣＭ信号１２を出力する音声再生用ＤＳＰ１１と、ＰＣＭ信号から音声を再生して出力する音声再生回路２０と、ＰＣＭ信号から音声の音圧を検出して該音圧に応じた検出レベルの信号（検出レベル信号）を出力する音圧検出用デコード回路１３と、ＰＷＭ制御回路１８と、ＬＥＤ駆動回路１９と、から構成される。各部の構成及び機能は次のとおりである。
【００１５】
音声を再生する音声再生回路２０は、音声再生用ＤＳＰ１１からのＰＣＭ信号１２をデジタル／アナログ変換（Ｄ／Ａ変換）するＤ／Ａ変換器（ＤＡＣ）１５、ＤＡＣ１５でＤ／Ａ変換した音声信号を増幅するアンプ１６と、アンプ１６からの音声信号により鳴動し音声を出力するレシーバ１７と、から構成される。音圧検出用デコード回路１３は、音声再生用ＤＳＰ１１から出力するＰＣＭ信号１２から音圧情報をデコードし音圧に応じて、３ビットの検出レベル信号１４を出力する。
【００１６】
ＰＷＭ制御回路１８は、分周回路２と、アップ／ダウンカウンタ（勾配カウンタ、以下、カウンタ）５と、比較回路８及びＰＷＭ回路９と、から構成される。
【００１７】
分周回路２は、源振クロック１を所定分周比に分周してカウンタクロック３として出力するとともに、カウンタクロック３よりも十分に高い周波数（源振クロック周波数を含む）のクロック信号をＰＷＭ生成クロック４として出力する。
カウンタ５は、３ビットのアップ／ダウンカウンタで構成され、カウンタクロック３を計数入力とし、後述の制御信号によりアップ計数、ダウン計数及び計数停止の何れかの動作を行い、計数値として３ビットのカウンタ値６を出力する。比較回路８は、前記カウンタ値６と前記温圧検出用デコード回路１３から出力される３ビットの検出レベル信号１４との大小を比較し、比較結果を前記制御信号としてカウンタ５に出力する。
【００１８】
このような帰還構成により、カウンタ５は、検出レベル信号１４とカウンタ値６との比較結果の制御信号８により計数のアップダウンが制御され、カウンタ値６が検出レベル信号１４と等しくなるように動作する。
例えば、検出レベル信号１４がカウンタ値６より大きい場合は、ハイレベルの制御信号を出力してカウンタ５がカウンタクロック３をアップ計数するように制御し、検出レベル信号１４がカウンタ値６より小さい場合は、ローレベルの制御信号を出力してカウンタ５がカウンタクロック３をダウン計数するように制御する。
【００１９】
そしてＰＷＭ回路９は、前記カウンタ値６と前記分周回路２からの前記ＰＷＭ生成クロック４を入力し、カウンタ値６に応じて、一定周期のパルス信号でありＤｕｔｙ比が変化するパルス幅変調信号（ＰＷＭ信号）１０を出力する。
【００２０】
ここで、ＰＷＭ回路の具体的構成例としては、ＰＷＭ生成クロック４を計数し、計数値のモジュロ（法）ｎ（ｎ：整数）をカウント値として出力するカウンタ（例えば２進カウンタ、「モジュロｎカウンタ」ともいう。）と、前記カウンタのカウント値と、前記カウンタ値６とを比較し、両デジタル値の差分の正、負に応じてハイレベル又はローレベルの信号を出力する比較器と、で構成され、ＰＷＭ生成クロック４のｎクロック期間を周期とし、前記ハイレベル又はローレベルの信号をＰＷＭ信号として前記比較器から出力するように構成することができる。
【００２１】
ＬＥＤ駆動回路１９は、ＰＷＭ信号１０をゲート電極に入力し、ドレイン電極が発光ダイオードＬＥＤを駆動（点灯）するソース接地型の絶縁ゲート型トランジスタにより構成される。
【００２２】
以上の構成によりカウンタ値６は検出レベル信号１４に所定の遅延を伴って追従して変化し、ＰＷＭ回路９は、ＰＷＭ生成クロック４により決定される所定周期且つ変化幅の刻みで、カウンタ値６に応じたパルス幅のパルス信号を出力する。つまり、検出レベル信号１４の変化に対しＰＷＭ信号１０のＤｕｔｙ比の変化の遅延特性がカウンタクロック３の周期に応じて決定される。
（動作の説明）
次に、第１の実施の形態の動作を図１、図２および図３を参照して説明する。
図２は、ＰＣＭ信号の音圧レベル（検出レベル信号）が急に大きくなった場合を例とするタイムチャートを示す図である。
【００２３】
本実施の形態の表示制御に関する回路ブロックの動作の基本タイミングは源振クロック１により規定されており、使用するクロック信号としては、前記源振クロック１を分周回路２により分周した、カウンタ５の計数入力となるカウンタクロック３（図２では源振クロックの１／１８の分周）と、ＰＷＭ信号の基本周期及びパルス幅を規定するＰＷＭ信号生成クロック４（図２では源振クロックの１／４の分周）とである。
【００２４】
音圧検出用デコード回路１３は、入力されたＰＣＭ信号１２から一定周期で音圧情報を検出し、音声の音圧レベルに応じた検出レベル信号１４を出力する。音圧情報を検出する周期は、カウンタクロック３よりも十分に長い周期であることが望ましく、本例ではｔ１時点で検出され、それまでの音圧レベル”001”から”101”に変化（増加）している。また、本例の検出レベル信号１４は、カウンタ値６のビット数と同じ３ビットの音圧レベルのデータであり、この場合、音圧レベルが最小の時は”０００”、最大の時は”１１１”となる。
【００２５】
カウンタ５はカウンタクロック３の立ち上がりタイミングに、比較回路７の出力である制御信号がハイレベルかローレベルかゼロレベルかにより、それぞれアップカウント、ダウンカウント又はカウント停止の動作を行う。
【００２６】
本例では、時刻ｔ１までは検出レベル信号１４の値が”001”であり、また、カウンタ５の出力も”001”であるため、比較回路７の出力はゼロであり、カウント動作は行われていない。次に時刻ｔ１で検出レベル信号１４の値が”001”から”101”に増加しているから、比較回路７はハイレベルの制御信号を出力し、この直後のカウンタクロック３の計数からカウンタ５はアップカウント動作に設定され、カウンタ値６は時刻ｔ２で”010”、同ｔ３で”011”、同ｔ４で”100”、同ｔ５で”101”となり、時刻ｔ５で再び検出レベル信号１４とカウンタ値６とが同一となり、比較回路７の出力の制御信号はゼロレベルとなる。本例では時刻ｔ５以降は検出レベル信号１４が“101”を維持しているため、時刻ｔ５以後、カウンタ５はカウント停止の状態を継続する。
【００２７】
次にＰＷＭ回路９は、以上のカウンタ動作により生成されたカウンタ値６に応じたパルス幅のＰＷＭ信号を出力する。
図６は、カウンタ値６とＰＷＭ信号１０のデユーティ比の関係を示す図である。同図からわかるように、カウンタ値６が、例えば”001”ならＰＷＭ生成クロック４の１クロック期間ハイレベル、６クロック期間ローレベルであり、７クロック期間を１周期とするＰＷＭ信号が繰り返し出力される。“010”〜“111”の場合も同様であり７クロック期間を１周期とし、それぞれ２クロック期間〜７クロック期間ハイレベルのＰＷＭ信号が繰り返し出力される。
【００２８】
本例ではＰＷＭ回路９は、図６に示す関係に従って、時刻ｔ１までは検出レベル信号１４と同一の音圧レベル”001”のカウンタ値６に対応する狭いパルス幅のＰＷＭ信号を継続して出力し、時刻ｔ２以降は、次第に増加するカウンタ値６に応じてパルス幅が増加するＰＷＭ信号を出力し、時刻ｔ５以降は、大きいパルス幅のＰＷＭ信号を出力する。
【００２９】
図３は、ＰＣＭ信号の音圧レベル（検出レベル信号）が急に小さくなった場合を例とするタイムチャートを示す図である。
【００３０】
本例ではｔ６時点で音圧レベルが検出され、それまでの音圧レベル”101”から”010”に変化（減少）している。本例では時刻ｔ６までは検出レベル信号１４の値が”101”であり、また、カウンタ５の出力も”101”であるため、比較回路７の出力はゼロレベルであり、カウント動作は行われていない。時刻ｔ６では検出レベル信号１４の値が”101”から”010”に減少しているから、比較回路７はローレベルの制御信号を出力し、この直後のカウンタクロック３の計数からカウンタ５はダウンカウント動作に設定され、カウンタ値６は時刻ｔ７で”100”、同ｔ８で”011”、同ｔ９で”010”となる。時刻ｔ９で再び検出レベル信号１４とカウンタ値６とが同一となるから、比較回路７の出力の制御信号はゼロレベルとなり、時刻ｔ９以降は検出レベル信号１４が“101”を維持しているため、カウンタ５はカウント停止の状態を継続する。
【００３１】
ＰＷＭ回路９は、以上のカウンタ動作により生成されたカウンタ値６に応じたパルス幅のＰＷＭ信号を出力する。
ＰＷＭ回路９は、図３の例では、図６に従い時刻ｔ７までは検出レベル信号１４と同一の音圧レベル”101”のカウンタ値６に対応する広い６クロック期間ハイレベルのパルス幅のＰＷＭ信号を継続して出力し、時刻ｔ７以降は、次第に減少するカウンタ値６に応じてパルス幅が次第に減少するＰＷＭ信号を出力し、時刻ｔ９以降は、２クロック期間のパルス幅のＰＷＭ信号を出力する。
【００３２】
本実施の形態により出力されるＰＷＭ信号では、検出レベル信号１４の変化に対するＰＷＭ信号のパルス幅の変化に遅延（勾配）を伴う特性をもっており、急な音圧レベルの変化に対し、Ｄｕｔｙ比は緩慢（アナログ状）に変化するという特徴がある。
【００３３】
ＰＷＭ信号１０はＬＥＤ駆動回路１９に入力し、絶縁ゲート型トランジスタはＰＷＭ信号１０の１クロックのハイレベル期間のみ導通し、発光ダイオードＬＥＤを駆動（点灯）することにより、ＬＥＤは、カウンタ値６に従ったＤｕｔｙ比に応じた輝度で点灯する。
【００３４】
音声再生回路２０は、従来どおりの動作により所定の音声を出力する。つまり、携帯電話等の電子機器における音声再生の場合は、音声再生用ＤＳＰ１１がＰＣＭ信号１２を出力し、ＤＡＣ１５はＰＣＭ信号１２をデジタル／アナログ変換し、アンプ１６はアナログ音声を増幅し、レシーバ１７は音声を出力する。
【００３５】
以上の構成及び機能により、比較回路８は、カウンタ値６と検出レベル信号１４との差分（大小）に応じた制御信号８を出力し、制御信号８がカウンタ５を制御することにより、前記差分が零になるように、カウンタ５の計数をアップ又はダウンのカウント動作の切り換えを制御する負帰還回路を構成する。
このことは、音声再生回路２０から出力される音声の音圧レベルの変化に対応して検出レベル信号１４も追従して変化し、カウンタ５はアップダウン制御により、カウンタクロック３のタイミングでカウンタ値６は検出レベル信号１４へ近づくように動作し、その結果、ＰＷＭ信号１０のＤｕｔｙ比も序々に変化し、ＬＥＤの点灯の輝度が変化する。
【００３６】
以上により、音声の音圧レベルに従って連続的にＬＥＤの輝度が変化するため、ユーザーはレシーバ１７からの音声に連動した輝度で発光するＬＥＤを目視することが可能となる。
【００３７】
（他の実施の形態）
図４は、本発明のＬＥＤ制御回路の第２の実施の形態の構成を示す図である。本実施の形態では、音圧検出デコード回路の前段にフィルタを備える点を特徴とし、周波数帯別に複数のＬＥＤ制御回路を使用して異なるＬＥＤの輝度を制御する音声光変換回路を構成することを可能としたものである。
図５は、第２の実施の形態による音声光変換回路のタイムチャートを示す図である。
【００３８】
３つのＬＥＤを３つのＬＥＤ制御回路により制御することにより視覚的効果を一層高めるようにしたものである。音声のＰＣＭ信号を出力する音声再生用ＤＳＰ１１と、ＰＣＭ信号１２を音声再生する音声再生回路２０と、ＰＣＭ信号を入力し、高域周波数帯域の信号を通過するハイ・パス・フィルタ（ＨＰＦ）２１、中域周波数帯域の信号を通過するバンド・パス・フィルタ（ＢＰＦ）２５及び低域周波数帯域の信号を通過するロー・パス・フィルタ（ＬＰＦ）２９と、ハイ・パス・フィルタ２１、バンド・パス・フィルタ２５及びロー・パス・フィルタ２９のそれぞれの出力を入力とする３つの音声検出デコード回路２２、２６及び３０と、音声検出デコード回路２２、２６及び３０の出力をそれぞれ入力とするＰＷＭ制御回路２３、２７及び３１と、ＰＷＭ制御回路２３、２７及び３１の出力をそれぞれ入力とする３つのＬＥＤ駆動回路２４、２８及び３２とから構成される。なお、各回路ブロック内の構成は図１に示す構成と同様である。
【００３９】
音声再生用ＤＳＰ１１からのＰＣＭ信号１２を３種類のフィルタに通すことにより、高域の音声の音圧は音圧検出デコード回路２２で検出され、高域の音声の音圧レベルのデータが出力され、ＰＷＭ制御回路２３は前記音圧レベルに追従したＰＷＭ信号を出力し、ＬＥＤ駆動回路２４はＬＥＤを点灯し、ＬＥＤは前記ＰＷＭ信号のＤｕｔｙ比に比例する輝度でＬＥＤ表示が行われる。同様に中域及び低域の音声の音圧は、それぞれ音圧検出デコード回路２６、３０で検出され、音圧検出デコード回路２６、３０は、それぞれ中域及び低域の音圧レベルに追従したＰＷＭ信号を出力し、ＬＥＤ駆動回路２８、３２はそれぞれのＰＷＭ信号によりＬＥＤを点灯して、それぞれのＰＷＭ信号のＤｕｔｙ比に比例する輝度でＬＥＤ表示が行われる。
【００４０】
この結果、高域の音声の音圧の大小はＬＥＤ駆動回路２４の輝度により表現される。同じく中域はＬＥＤ駆動回路２８の輝度、低域はＬＥＤ駆動回路３２の輝度により表現される。図５に示すように、３つのＬＥＤの種類を例えば赤、青、緑とし、それらを近接して配置、実装することにより、帯域毎の音圧レベルに応じて異なる発光色のＬＥＤの輝度が変化し、発光色が重なり合い、音声に連動したグラデーション変化を見せるＬＥＤ点灯制御が実現される。
【００４１】
前述の実施の形態では音声を想定してＰＣＭ信号の音圧レベルを検出してＰＷＭ信号のＤｕｔｙ比を制御するように構成したが、第３の実施の形態として、音楽再生を想定し、ＩＩＳフォーマット等の既知のオーディオデジタル信号からの音圧レベルを検出してＰＷＭ信号のＤｕｔｙ比に反映させることにより、再生した音楽に連動したＬＥＤの点灯制御を行うように構成することができる。
【００４２】
以上の実施の形態では、カウンタ５を３ｂｉｔのカウンタとして説明したが、その場合のＰＷＭ  Ｄｕｔｙ分解能は最大輝度の１／７となる。第４の実施の形態として、音圧レベル信号及びカウンタ５のビット数を増加することによりＤｕｔｙ分解能を向上させる構成とすることが可能である。前記ビット数の増加により輝度変化が微細になるから、より視覚的に連続的な輝度制御をすることが可能となる。所望ビット数の音圧レベル信号の読み出しは、ＰＣＭ信号の上位ビットを当該ビット数だけ抽出することにより容易に実現することが可能である。
【００４３】
更に、図１に示す分周回路２を、外部信号により分周比を可変制御が可能な可変分周回路とし、外部信号等によりカウンタクロック３の周期を可変とすることにより、カウンタ５のアップ／ダウンカウント動作の周期が可変となり、ＰＣＭ信号の音圧レベルへの追随速度をコントロールすることが可能であり、輝度制御の特性を変化させ、視覚的、装飾的効果を制御することが可能である。また、第２の実施の形態のＰＷＭ制御回路２２、２６、３０の分周回路の分周比を異なるように設定し、又は同分周比を独立に制御することにより、音声に連動する赤、青、緑の３つのＬＥＤの輝度変化に一層の表現力を与えることが可能である。
【００４４】
【発明の効果】
本発明によれば、ＰＣＭ信号から検出した音圧レベルに基づき変化するＤｕｔｙ比のＰＷＭ信号によりＬＥＤを点灯することにより、音声の音圧に連動するＬＥＤ点灯が実現でき、レシーバからの音声の音圧に連動してＬＥＤの輝度を変化させることが可能となるため、ＬＥＤ点灯の視覚的、装飾的効果が向上し、ＬＥＤ表示の表現力を増加させることができる。
【００４５】
特に、ＰＷＭ信号のＤｕｔｙ比を音圧レベルに遅延を伴って追随するアップダウン機能を有するカウンタのカウンタ値により決定するため、音圧レベルの変化に対しＤｕｔｙ比が勾配をもって変化することから、ＬＥＤの輝度変化に勾配を持たせることができ、音声の立ち上がりのアタック時間と、立ち下りのリリース時間に類似したＬＥＤの輝度変化を実現することが可能であり、音声の変化に、より連動したＬＥＤの点灯制御が可能であり、極めて好適な視覚的、装飾的効果を実現することができる。
【００４６】
更に、従来のような２値制御のＬＥＤの点滅の制御ではなく、音圧変化にＬＥＤの輝度が勾配を伴って連動させることができるから、携帯電話機等、少ない数のＬＥＤを備える電子機器にあっても、例えば着信メロディ、カラオケ演奏は勿論のこと通話音声等に対しても適用可能であり、電子機器の使用者及び周囲の者に対し、視覚的、装飾的な楽しい雰囲気を醸し出すことが可能であり、商品価値を一段と高めることが可能となる。
【００４７】
また、前記カウンタの計数の間隔（カウントクロックの周期）を制御することにより、カウンタ値の音圧レベルへの追従速度を制御することが可能であるから、ＬＥＤの輝度制御による視覚的、装飾的効果をも制御することが可能である。
【図面の簡単な説明】
【図１】本発明のＬＥＤ制御回路の第１の実施の形態を示す図である。
【図２】ＰＣＭ信号の音圧レベル（検出レベル信号）が急に大きくなった場合のタイムチャートを示す図である。
【図３】ＰＣＭ信号の音圧レベル（検出レベル信号）が急に小さくなった場合のタイムチャートを示す図である。
【図４】本発明のＬＥＤ制御回路の第２の実施の形態の構成を示す図である。
【図５】第２の実施の形態のタイムチャートを示す図である。
【図６】カウンタ値とＰＷＭ信号のデユーティ比の関係を示す図である。
【符号の説明】
２  分周回路
３  カウンタ
７  比較回路
９  ＰＷＭ回路
１１  ＤＳＰ
１３  音圧検出用デコード回路
１５  デジタルアナログ変換回路（ＤＡＣ）
１６  アンプ
１７  レシーバ（スピーカ）
１８  ＰＷＭ制御回路
１９  ＬＥＤ駆動回路
２０  音声再生回路
【図１】
2004205669.tif 000003
【図２】
2004205669.tif 000004
【図３】
2004205669.tif 000005
【図４】
2004205669.tif 000006
【図５】
2004205669.tif 000007
【図６】
2004205669.tif 000008